(57)【要約】【課題】並べて配置する複数の機器に対して複数のコネクタを接続する場合に、渡り配線コードが相互に干渉することがないようにする。【解決手段】分岐コネクタ付電源コード１は、差込プラグ２と、コネクタ３、４、５と、電源電線６、７、８とを備えて構成されている。前記コネクタ３において、電源電線６の導入部６ｂと電源電線７の導出部７ａとは、上下にずれた構成となっている。前記コネクタ４において、電源電線７の導入部７ａ及び電源電線８の導出部８ａの関係も、コネクタ中心に対して上下にずれた構成となっている。【選択図】図１
2008311027.tif 000002
【特許請求の範囲】
【請求項１】
差込プラグと複数のコネクタとを順に渡り配線コードで相互に接続した分岐コネクタ付電源コードであって、
前記複数のコネクタのうち終端のコネクタを除くコネクタに導入される渡り配線コード導入部分と、当該コネクタから導出される渡り配線コード導出部分とを、上下にずらした構成としたことを特徴とする分岐コネクタ付電源コード。
【請求項２】
前記渡り配線コード導入部分と前記渡り配線コード導出部分とは、前記渡り配線コードが重なり合わない角度で上下に向いていることを特徴とする請求項１に記載の分岐コネクタ付電源コード。
【発明の詳細な説明】
【技術分野】
【０００１】
本発明は、差込プラグと複数のコネクタとを順に渡り配線コードで相互に接続した分岐コネクタ付電源コードに関する。
【背景技術】
【０００２】
従来、複数の機器に電源を供給する電源コードとしては、差込プラグと複数のコネクタとを順に渡り配線コードで相互に接続した分岐コネクタ付電源コードがある（例えば特許文献１）。この分岐コネクタ付電源コードは、図１４に示すように差込プラグ５０と複数のコネクタ５１〜５３とを順に渡り線コード５４〜５６を接続して構成されている。
【特許文献１】特開平１１−４０２９５号公報
【発明の開示】
【発明が解決しようとする課題】
【０００３】
上記構成においては、コネクタ５１における渡り配線コード導入部分５４ａ及び導出部分５５ａが水平方向で並んだ形態で導入・導出され、またコネクタ５１ｂにおいても、渡り配線コード導入部分５５ｂ及び導出部分５６ａが水平方向で並んだ形態で導入・導出された構成であるため、図１４のように複数台の小型電子機器（例えばＡＣアダプタ）５７を並んで配置した場合、隣合う渡り配線コード５４〜５６が例えばポイントＰ部分で干渉し、渡り配線コード５４〜５６の纏まりが悪いとか、渡り配線コード５４〜５６相互の干渉反発によって前記複数台の小型電子機器５７の配置がずれたり、配置に制約を受けたりする問題があった。
【０００４】
本発明は、上記事情に鑑みてなされたものであり、その目的は、並べて配置する複数の機器に対してコネクタを接続する場合に、渡り配線コードが相互に干渉することがなくて、渡り配線コードの纏まりが良く、又接続対象である上記機器の配置がずれたり、配置に制約を与えたりすることがない分岐コネクタ付電源コードを提供することにある。
【課題を解決するための手段】
【０００５】
上記目的を達成するために、請求項１の発明によれば、複数のコネクタのうち終端のコネクタを除くコネクタに導入される渡り配線コード導入部分と、当該コネクタから導出される渡り配線コード導出部分とが、上下にずれた構成であるから、並べて配置する複数の機器に対してコネクタを接続する場合に、隣合う渡り配線コードが上下にずれた引き回し形態となり、渡り配線コードが相互に干渉することがなくて、渡り配線コードの纏まりが良く、又接続対象である上記機器の配置がずれたり、配置に制約を与えたりすることがない。
【０００６】
また、この場合、前記渡り配線コード導入部分と前記渡り配線コード導出部分とを、前記渡り配線コードが重なり合わない角度で上下に向く構成としても良い（請求項２の発明）。このようにすれば、隣合う渡り配線コードがさらに上下に離れることになり、相互の干渉をさらに確実に防止できるようになる。
【発明を実施するための最良の形態】
【０００７】
以下、本発明の第１の実施例について図１ないし図５を参照して説明する。分岐コネクタ付電源コード１は、差込プラグ２と、複数例えば３個のコネクタ３、４、５と、渡り配線コードに相当する電源電線６、７、８とを備えて構成されている。
差込プラグ２は、プラグ端子２ａ、２ｂとプラグ本体２ｃとを備え、プラグ端子２ａ、２ｂは、前記電源電線６の一対の電線６１、６２の一端部に接続され、この接続部分が前記熱可塑性樹脂からなる前記プラグ本体２ｃの一体モールド成形により埋設されている。この電源電線６における差込プラグ２からの導出部６ａは、前記プラグ本体２ｃと一体に形成された屈曲保護部２ｄにより被覆されており、この屈曲保護部２ｄにより該導出部６ａの導出方向がほぼ固定化されている。
【０００８】
前記コネクタ３は、一対の円筒形の刃受３ａ、３ｂと、コネクタ本体３ｃとから構成されている。前記一対の刃受３ａ、３ｂには、電源電線６の一対の電線６１、６２の他端部と、前記電源電線７の一対の電線７１、７２の一端部がそれぞれ接続され、これらの接続部が熱可塑性樹脂からなる前記コネクタ本体３ｃの一体モールド成形により埋設されている。このコネクタ３に対する電源電線６の導入部（渡り配線コード導入部に相当）６ｂは前記コネクタ本体３ｃと一体に形成された屈曲保護部３ｄにより被覆されており、この屈曲保護部３ｄにより導入部６ｃの導入方向がほぼ固定化されている。また、当該コネクタ３からの電源電線７の導出部（渡り配線コード導出部に相当）７ａは、コネクタ本体３ｃと一体に形成された屈曲保護部３ｅにより被覆されており、該屈曲保護部３ｅにより導出部７ａの導出方向がほぼ固定化されている。
【０００９】
前記コネクタ３において、渡り配線コード導入部である前記導入部６ｂと配線コード導出部である導出部７ａとは、図３に示す刃受３ａ、３ｂの水平並び方向基準Ｈ（以下、コネクタ中心Ｈという）に対して上下にずれた構成となっている。この場合、側面から見た図２から分かるように上下にずれた形態であるが、相互にほぼ平行な関係である。また、平面から見ても、導入部６ｂと導出部７ａとは、ほぼ平行状態である。
【００１０】
前記コネクタ４は、一対の円筒形の刃受４ａ、４ｂと、コネクタ本体４ｃとから構成されている。前記一対の刃受４ａ、４ｂには、電源電線７の一対の電線７１、７２の他端部と、前記電源電線８の一対の電線８１、８２の一端部がそれぞれ接続され、これらの接続部が熱可塑性樹脂からなる前記コネクタ本体４ｃの一体モールド成形により埋設されている。このコネクタ４に対する電源電線７の導入部（渡り配線コード導入部に相当）７ｂは前記コネクタ本体４ｃと一体に形成された屈曲保護部４ｄにより被覆されていると共に、導入方向が固定されている。
【００１１】
また、当該コネクタ４からの電源電線８の導出部（渡り配線コード導出部に相当）８ａは、コネクタ本体４ｃと一体に形成された屈曲保護部４ｅにより被覆されており、該屈曲保護部４ｅにより導出部８ａの導出方向がほぼ固定化されている。
また、前記コネクタ４において、渡り配線コード導入部である導入部７ａ及び配線コード導出である導出部８ａの関係も、コネクタ３における導入部６ｂ及び導出部７ａと同様に、刃受４ａ、４ｂのコネクタ中心Ｈに対して上下にずれた構成となっている。
【００１２】
前記コネクタ５は、一対の円筒形の刃受５ａ、５ｂと、コネクタ本体５ｃとから構成されている。前記一対の刃受５ａ、５ｂには、電源電線８の一対の電線８１、８２の他端部が接続され、この接続部が熱可塑性樹脂からなる前記コネクタ本体５ｃの一体モールド成形により埋設されている。このコネクタ４に対する電源電線８の導入部８ｂは前記コネクタ本体５ｃと一体に形成された屈曲保護部５ｄにより被覆されており、該屈曲保護部５ｄにより導入部８ｂの導入方向がほぼ固定化されている。
【００１３】
上述した構成においては、複数のコネクタ３、４、５のうち終端のコネクタ５を除くコネクタ３の導入部６ｂ及び導出部７ａ、及びコネクタ４の導入部７ｂ及び導出部８ａが上下にずれた構成であるから、複数台の電気機器例えばＡＣアダプタ９、１０、１１に対して前記コネクタ３、４、５を接続する場合に、それぞれ隣り合う電源電線６、７、８が上下にずれた引き回し形態となり、これら電源電線６、７、８が相互に干渉することがなくて、これら電源電線６、７、８の纏まりが良く、又接続対象である上記ＡＣアダプタ９、１０、１１の配置がずれたり、配置に制約を与えたりすることがない。
【００１４】
図６及び図７は本発明の第２の実施例を示しており、この実施例では、コネクタ３における導入部６ｂが、側面から見て斜め下方に指向し、導出部７ａが、側面から見て斜め上方向から導入された形態であり、もってこれら導入部６ｂと導出部７ａとが重なり合わない角度α状態となっている。また、コネクタ４における導入部７ｂと導出部８ａも、同様に、重なり合わない角度α状態となっている。
このような第２の実施例によれば、隣り合う電源電線６、７、８がさらに上下に離れることになり、相互の干渉をさらに確実に防止できるようになる。
【００１５】
図８ないし図１０は本発明の第３の実施例を示しており、この実施例においては、コネクタ３、４、５における各導入部６ｂ及び導出部７ａ、導入部７ｂ及び導出部８ａ、導入部８ｂの平面から見た指向方向が、前記第２の実施例（図６、図７）と異なる。すなわち、この第３の実施例においては、導入部６ｂ及び導出部７ａ、導入部７ｂ及び導出部８ａ、導入部８ｂの平面から見た指向方向が、各コネクタの差込方向中心線Ｑに対して角度θ方向へ指向した形態となっている。
【００１６】
この第３の実施例によれば、第２の実施例同様、隣り合う電源電線６、７、８がさらに上下に離れることで相互の干渉をさらに確実に防止できることに加え、平面的に見て、角度θ方向へ指向していることで、電源電線６、７、８を各コネクタ部分からすぐに無理なく湾曲することができ、この結果、電源電線６、７、８の奥行き寸法Ｌ（図８参照）を第１の実施例及び第２の実施例よりも短くできるという効果を得ることができる。
【００１７】
また、第３の実施例によれば、コネクタ３、４、５を図８よりも距離をおいて並べた場合（例えば、コードの長さが許す限界の距離で並べた場合）に電源電線６、７、８が平面的に見て、角度θ方向に指向していることで、第２の実施例に比べてコネクタ付け根部分におけるコードの曲がり具合がゆるやかになり、コード（付け根付近）への負荷が少ない状態でコネクタ同士を距離を離して配置することができる。
【００１８】
図１１は本発明の第４の実施例を示し、この実施例では、コネクタ３、４のコネクタ本体３ｃ、４ｃを一体モールドでなく、コネクタケースから構成し、屈曲保護部３ｄ及び３ｅ、４ｄ及び４ｅも該コネクタケースとは別に形成し、このコネクタケース内に刃受３ａ及び３ｂ、４ａ及び４ｂ、電源電線６、７、８を組み込んでねじ締めする、いわゆる分解可能な組立て構造とした点に特徴がある。なお、ケースの組み付けなどの固定方法は、ねじ締めの他、超音波溶着も可能である。この構成によれば、コネクタ個数を適宜変更することが可能である。加えて、コネクタとコードの組み合わせを選択できることから、同一のコネクタに対し、コードの長さを変更して用いることも可能である。
【００１９】
なお、本発明は上記した各実施例に限定されるものではなく、次のように変更しても良い。例えば、本発明の第５の実施例として示す図１２及び図１３のように、電源電線６（７、８）の一対の電線６１及び６２（７１及び７２、８１及び８２）は、上下に並び、電源電線６（７、８）の断面形状としては縦長（横に薄い）形状としても良く、このようにすると、矢印Ｓ方向（水平方向）へ曲げやすく、曲率を小さくできるという効果が得られる。
【００２０】
また、上記各実施例では、コネクタの個数を３としたが、その数は２個以上であれば良い。また、前記導入部及び導出部のうち一方がコネクタ中心Ｈとほぼ同じ高さにあって、他方が、当該コネクタ中心Ｈより高い、もしくは低いといった、上下のずれ関係でも良い。または、前記導入部及び導出部の両方がコネクタ中心Ｈより高くて（あるいは低くて）、その高さ（あるいはその低さ）が異なる構成でも良い。また、接続対象である電気機器はＡＣアダプタに限られるものではない。
【図面の簡単な説明】
【００２１】
【図１】本発明の第１の実施例を示す分岐コネクタ付電源コードの平面図
【図２】コネクタ部分の側面図
【図３】図１のＧ−Ｇ線断面図
【図４】コネクタ部分の横断平面図
【図５】コネクタ部分の斜視図
【図６】本発明の第２の実施例を示すコネクタ部分の平面図
【図７】コネクタ部分の側面図
【図８】本発明の第３の実施例を示す図１相当図
【図９】コネクタ部分の側面図
【図１０】図９のＫ方向から見たコネクタ部分の正面図
【図１１】本発明の第４の実施例を示すコネクタ部分横断平面図
【図１２】本発明の第５の実施例を示す図１相当図
【図１３】図１２のＩ−Ｉ線断面図
【図１４】従来例を説明するための図１相当図
【符号の説明】
【００２２】
図面中、１は分岐コネクタ付電源コード、２は差込プラグ、３、４、５はコネクタ、２ｄ、３ｄ、３ｅ、４ｄ、４ｅ、５ｄは屈曲保護部、６、７、８は電源電線（渡り配線コード）、６ｂは導入部、７ａは導出部、７ｂは導入部、８ａは導出部、９、１０、１１はＡＣアダプタを示す。
【図１】
2008311027.tif 000003
【図２】
2008311027.tif 000004
【図３】
2008311027.tif 000005
【図４】
2008311027.tif 000006
【図５】
2008311027.tif 000007
【図６】
2008311027.tif 000008
【図７】
2008311027.tif 000009
【図８】
2008311027.tif 000010
【図９】
2008311027.tif 000011
【図１０】
2008311027.tif 000012
【図１１】
2008311027.tif 000013
【図１２】
2008311027.tif 000014
【図１３】
2008311027.tif 000015
【図１４】
2008311027.tif 000016